(57)【要約】      （修正有）【課題】均し具を必要な場合に迅速に取り出すことができ、作業性の良い薬剤供給装置を提供する。【解決手段】均し具保持部１は、薬剤供給装置の本体１０１に設けられた箱状のものであって、内部に複数の均し具を収納できる。この均し具保持部１の幅方向寸法は、均し具の長さ寸法よりもやや大きいものとされ、余裕を持って収納できるものとされている。この均し具保持部１は、散剤分配部１０１ａの近傍であり、かつ、薬剤供給装置の本体１０１における前面に設けられている。このような位置関係に均し具保持部１が設けられているため、作業者は均し具保持部１から所望の均し具を取り出し、散剤分配部１０１ａにて即座に均し作業を行うことができる。【選択図】図１
0003191749.tif 000002
【実用新案登録請求の範囲】
【請求項１】
散剤を収容して分配する散剤分配部を備える薬剤供給装置であって、
前記薬剤供給装置は、前記収容された散剤の表面を均すための均し具と、前記均し具を保持する均し具保持部とを備える薬剤供給装置。
【請求項２】
前記均し具保持部は、前記散剤分配部の近傍、かつ、薬剤供給装置の前面側に設けられる請求項１に記載の薬剤供給装置。
【請求項３】
前記均し具保持部は、薬剤供給装置の本体に取り付けられる基部と、前記基部に対して開閉可能な蓋部とを備え、
前記基部と蓋部との間に、均し具を配置可能な内部空間を備える請求項１または２に記載の薬剤供給装置。
【請求項４】
前記蓋部は、前記内部空間に配置された均し具を支持する支持面を備える請求項３に記載の薬剤供給装置。
【請求項５】
前記内部空間は、複数の均し具を並列して配置可能であり、前記支持面は、複数の均し具を支持するための段差を有する請求項４に記載の薬剤供給装置。
【請求項６】
前記均し具は、棒状の把持部の少なくとも一端に、散剤を均すための均し部を備え、
前記支持面には、前記均し部が前記蓋部に干渉しないようにするための凹部を備える請求項４に記載の薬剤供給装置。
【請求項７】
前記内部空間は、複数の均し具を並列して配置可能である請求項１から４のいずれかに記載の薬剤供給装置。
【請求項８】
前記内部空間には、複数の均し具が、当該均し具の短手方向に並ぶように配置される請求項７に記載の薬剤供給装置。
【請求項９】
前記薬剤供給装置は、開閉可能な上部カバーを備え、
前記均し具保持部は、前記上部カバーを開けるための取手を兼ねる請求項１から８のいずれかに記載の薬剤供給装置。
【考案の詳細な説明】
【技術分野】
【０００１】
本考案は、収容された散剤を分配できる散剤分配部が設けられた薬剤供給装置に関するものである。
【背景技術】
【０００２】
薬剤分包機等には、散剤分配部を備えた薬剤供給装置が設けられている。これは、薬剤のうち散剤を分配して供給するためのものである。例えば、本願出願人による、特許文献１に記載されたものが挙げられる。
【０００３】
この散剤分配部は、縦断面視がＶ字形とされた散剤収容溝を有しており、この散剤収容溝に薬剤師等の作業者によって投入された散剤を、散剤収容溝の下方に設けられた分割器へと落下させ、例えば１包分の分量毎に散剤を分割することができる。
【０００４】
作業者によって散剤収容溝に投入された散剤の表面は、投入直後の状態では盛り上がっていたり凹んでいたりしており、高さがばらついているため、表面を均してやる必要がある。そのため、ヘラ等の均し具が薬剤供給装置に付属している。作業者はこの均し具を持ち、散薬の表面が均等な高さとなるように散剤の表面を掻き均す。
【先行技術文献】
【特許文献】
【０００５】
【特許文献１】特開平７−６１４０２号公報
【考案の概要】
【考案が解決しようとする課題】
【０００６】
ところが、従来の薬剤供給装置では、均し具を保持する場所が設けられていなかった。そのため、作業者の判断で薬剤供給装置の周囲に均し具を置いていた。その際、筆入れ等を均し具のケースとして転用している場合もあった。そして、薬剤供給装置の上部カバーはメンテナンス等のために開閉できるようにされているが、均し具が上部カバーに置かれている場合、上部カバーを開いた際に均し具を床面等に落下させてしまうことがあった。このように、薬剤供給装置と均し具の置き場との関係が定まっていなかったため、均し具を紛失してしまう場合があったり、均し具を均し作業を行う毎に探す必要があったりして、作業性悪化の要因となっていた。
【０００７】
そこで本考案は、均し具を必要な場合に迅速に取り出すことができ、作業性の良い薬剤供給装置を提供することを課題とする。
【課題を解決するための手段】
【０００８】
本考案は、散剤を収容して分配する散剤分配部を備える薬剤供給装置であって、前記薬剤供給装置は、前記収容された散剤の表面を均すための均し具と、前記均し具を保持する均し具保持部とを備えることを特徴としている。
【０００９】
前記構成によると、薬剤供給装置に均し具を保持できるため、均し具を紛失しにくく、均し作業を行う毎に均し具を探す必要がない。
【００１０】
そして、本考案の薬剤供給装置は、前記均し具保持部は、前記散剤分配部の近傍、かつ、薬剤供給装置の前面側に設けられるものとすることが好ましい。
【００１１】
前記好ましい構成によると、散剤分配部の近傍、かつ、前面側で均し具を保持できるため、均し具を均し具保持部から取り出して散剤分配部まで運ぶ距離を短縮でき、均し作業を迅速に行うことができる。
【００１２】
また、本考案では、前記均し具保持部は、薬剤供給装置の本体に取り付けられる基部と、前記基部に対して開閉可能な蓋部とを備え、前記基部と蓋部との間に、均し具を配置可能な内部空間を備えるものとすることが好ましい。
【００１３】
前記好ましい構成によると、基部と蓋部とにより形成された空間に均し具を配置できるため衛生的である。
【００１４】
また、本考案では、前記蓋部は、前記内部空間に配置された均し具を支持する支持面を備えるものとすることが好ましい。
【００１５】
また、本考案では、前記内部空間は、複数の均し具を並列して配置可能であり、前記支持面は、複数の均し具を支持するための段差を有するものとすることが好ましい。
【００１６】
また、本考案では、前記均し具は、棒状の把持部の少なくとも一端に、散剤を均すための均し部を備え、前記支持面には、前記均し部が前記蓋部に干渉しないようにするための凹部を備えるものとすることが好ましい。
【００１７】
また、本考案では、前記内部空間は、複数の均し具を並列して配置可能であるものとすることが好ましい。
【００１８】
また、本考案では、前記内部空間には、複数の均し具が、当該均し具の短手方向に並ぶように配置されるものとすることが好ましい。
【００１９】
また、本考案では、前記薬剤供給装置は、開閉可能な上部カバーを備え、前記均し具保持部は、前記上部カバーを開けるための取手を兼ねるものとすることが好ましい。
【考案の効果】
【００２０】
本考案は、均し具を紛失しにくく、均し作業を行う毎に探す必要がないため、均し具を必要な場合に迅速に取り出すことができ、作業性の良い薬剤供給装置を提供できる。
【図面の簡単な説明】
【００２１】
【図１】本実施形態の均し具保持部が設けられた薬剤分包装置の、内部機構を省略した、正面側（前方側）から見た斜視図である。
【図２】同均し具保持部を示す斜視図である。
【図３】同均し具保持部の蓋部を開けた状態を示す斜視図である。
【図４】同均し具保持部の蓋部を示す、背面側（後方側）から見た斜視図である。
【図５】同均し具保持部の蓋部を示す、背面側（後方側）から見た斜視図であり、（Ａ）は均し具を一つ置いた状態を示し、（Ｂ）は均し具を二つ置いた状態を示す。
【考案を実施するための形態】
【００２２】
次に、本考案につき、一実施形態を取り上げて説明を行う。なお、以下の説明における方向の表現のうち、「上下」は図１に示した状態における位置関係を言い、「前」とは、図１に示した状態での正面側を言い、「後」とは同背面側を言うものとする。ただし、この方向の表現は、説明の便宜のために用いるものであって、考案を限定的に解釈するために用いるものではない。
【００２３】
本実施形態の薬剤供給装置１００は、図１に示すものであり、本体１０１の上面前方に散剤分配部１０１ａが設けられている。この散剤分配部１０１ａに作業者が散剤を投入する。なお、「本体」とは、説明上、薬剤供給装置１００のうち均し具保持部１を除いた部分を指している。
【００２４】
本実施形態の均し具保持部１は、図１に示すように、薬剤供給装置の本体１０１に設けられた箱状のものであって、内部に複数の均し具Ｓ…Ｓを収納できる。この均し具保持部１の幅方向寸法は、図３に示すように、均し具Ｓの長さ寸法よりもやや大きいものとされ、余裕を持って収納できるものとされている。この均し具保持部１は、散剤分配部１０１ａの近傍であり、かつ、薬剤供給装置の本体１０１における前面に設けられている。このような位置関係に均し具保持部１が設けられているため、作業者は均し具保持部１から所望の均し具Ｓを取り出し、散剤分配部１０１ａにて即座に均し作業を行うことができる。本実施形態では、均し具保持部１を薬剤供給装置の本体１０１における前面に設けるものとしたが、例えば、薬剤供給装置１００の前面扉内側に設けても良く、種々の位置に設けることができる。ただし、衛生面（埃の付着等）、あるいは作業性（均し具Ｓの取り出しやすさ）の観点から、薬剤供給装置１００の上方寄りの位置に設けることが望ましい。
【００２５】
図２に示すように、本実施形態の均し具保持部１は、薬剤供給装置の本体１０１に取り付けられる基部２と、この基部２に対して開閉できるように設けられた蓋部３とを備えている。蓋部３は基部２の下部に回動可能に支持されている。この回動は、図３に示すように、蓋部３が基部２に対して約５０°の開放ができるようになされる。基部２の上前方には開放用凹部２１が設けられている。作業者がこの開放用凹部２１に指を差し込むことで、蓋部３を容易に開放できる。本実施形態では、蓋部３の閉鎖のための手段は設けられておらず、蓋部３を開放したまま使用することもできる。なお、ばね等を内蔵しておき、作業者が蓋部３を開放した後、自動的に蓋部３が閉鎖するものであっても良い。
【００２６】
図３に示すように、基部２の上部であって幅方向（長手方向）の両端には磁石２２，２２が設けられている。そして、蓋部３には鋼板からなる吸着部３５，３５が取り付けられており、蓋部３の閉鎖時には、基部２の各々の磁石２２が蓋部３の各々の吸着部３５を吸着することによって閉鎖状態が保たれる。このように磁石２２と吸着部３５とが設けられたことにより、作業者が蓋部３を開放するために蓋部３に手を掛けない限りは、不意に蓋部３が開いてしまうことが起こりにくく、均し具Ｓに埃の付着等が起こりにくい。このように蓋部３の閉鎖状態を保つためには、本実施形態のように磁力を利用した手段以外に、凹凸嵌合によるもの、面ファスナー等の貼着によるものなど、種々の手段を用いることができる。
【００２７】
基部２の下端中央には切欠部２３が形成されている。これは、薬剤供給装置１００のうち、散剤分配部１０１ａ等が設けられた上部カバーを開けるための取手を兼ねるものであって、作業者はここに手を掛けて上部カバーを開けることができる。
【００２８】
図３に示すように、基部２と蓋部３とにより形成された空間に、複数の均し具Ｓ…Ｓが並列して配置可能とされている。なお、ここで言う「並列」とは、均し具Ｓ…Ｓが長手方向に並ぶ関係（縦並び）を指すのではなく、短手方向に並ぶ関係（横並び）を指す。本実施形態の均し具保持部１には、図示のように２本の均し具Ｓａ，Ｓｂを、均し部Ｓ２が平行になるように配置できる。このように前記空間には、複数の均し具Ｓ…Ｓが配置されるため、均し具保持部１から一つの均し具Ｓを取り出しやすい。
【００２９】
ここで、本実施形態で用いられる均し具Ｓは、図５（Ａ）（Ｂ）に示す形状のもので、棒状の把持部Ｓ１の両端に板状の均し部Ｓ２が設けられている。この均し部Ｓ２で薬剤供給装置の散剤分配部１０１ａに投入された散剤の表面を掻くことにより、散剤の表面を均等な高さに均すことができる。散剤分配部１０１ａに対する均し部Ｓ２の差し込み方により、本実施形態では、均し具Ｓの１本当たり４パターンの高さで均し分けをすることができる。
【００３０】
均し具Ｓは、蓋部３の内部下面である支持面３１，３２で支持される。より具体的には、図５（Ａ）（Ｂ）に示すように、均し具Ｓの把持部Ｓ１が支持面３１，３２上に置かれる。第１支持面３１は第２支持面３２よりも一段上方に形成されており、各支持面３１，３２間には段差が存在する。第１支持面３１には一方の均し具Ｓａを、第２支持面３２には他方の均し具Ｓｂを置くことができる。これにより、図３及び図５（Ｂ）に示すように、一方の均し具Ｓａと他方の均し具Ｓｂとを段違いに置くことができ、複数収納された中から１本の均し具Ｓを取り出すことが容易にできる。
【００３１】
支持面３１，３２の幅方向両側には下方に落ち込んだ凹部３３が形成されており、均し具Ｓの均し部Ｓ２が蓋部３に干渉しないようにされている。また、このように支持面３１，３２と凹部３３とが形成されたことに伴い、蓋部３の下端中央に切欠部３４が形成される。この切欠部３４は、蓋部３が閉鎖された際に基部２の切欠部２３と一致するものである。
【００３２】
本実施形態の均し具保持部１は箱状のものであって、内部に複数の均し具Ｓ…Ｓを収納するものとしたが、これ以外の種々の手段で均し具Ｓ…Ｓを保持する均し具保持部１とすることができる。例えば、ポケット状のもの（差し込みによる保持）、フック状のもの（引掛けによる保持）、磁石によるもの（吸着による保持）、面ファスナー等によるもの（貼付による保持）、嵌め込み、バンド等による挟み込み、トレー状のもの（載置）が挙げられる。
【符号の説明】
【００３３】
１          均し具保持部
２          基部
３          蓋部
１００      薬剤供給装置
１０１      薬剤供給装置の本体
１０１ａ    散剤分配部
Ｓ          均し具
【図１】
0003191749.tif 000003
【図２】
0003191749.tif 000004
【図３】
0003191749.tif 000005
【図４】
0003191749.tif 000006
【図５】
0003191749.tif 000007